(57)【特許請求の範囲】
【請求項１】
サポートで支持された底型枠上に第１コンクリートを打設し、前記第１コンクリートの下面側に下端スラブ筋を埋設するとともに、前記第１コンクリートの上面側に中段スラブ筋を埋設する第１コンクリート打設工程と、
前記第１コンクリート上に、第２コンクリートを打設する第２コンクリート打設工程と、
を備えるコンクリートスラブの施工方法。
【請求項２】
前記第２コンクリート打設工程において、複数の前記サポートの少なくとも一部を撤去した状態で、前記第１コンクリート上に前記第２コンクリートを打設する、
請求項１に記載のコンクリートスラブの施工方法。
【請求項３】
前記第２コンクリート打設工程において、前記第１コンクリート上に前記第２コンクリートを打設し、該第１コンクリート上に配筋された上端スラブ筋と前記第２コンクリートとを一体化させる、
請求項１又は請求項２に記載のコンクリートスラブの施工方法。
【請求項４】
前記第２コンクリート打設工程において、前記第１コンクリートのせん断力伝達部上に前記第２コンクリートを打設し、該せん断力伝達部を介して前記第１コンクリートと前記第２コンクリートとを一体化させる、
請求項１〜請求項３の何れか１項に記載のコンクリートスラブの施工方法。
【発明の詳細な説明】
【技術分野】
【０００１】
本発明は、コンクリートスラブの施工方法に関する。
【背景技術】
【０００２】
スラブ厚が厚く、重量が大きいコンクリートスラブの施工方法が知られている（例えば、特許文献１，２）。
【０００３】
特許文献１に開示された施工方法では、先ず、コンクリートスラブのスラブ底部と逆梁とを一体に形成した後、これらのスラブ底部及び逆梁上にスラブ本体部用のコンクリートを打設する。そして、スラブ底部及び逆梁にスラブ本体部用のコンクリートを支持させることで、コンクリートスラブの施工に必要となるサポート（支保工）の数を低減している。
【先行技術文献】
【特許文献】
【０００４】
【特許文献１】特開平６−２７２３４４号公報
【特許文献２】特開平７−７７５９６号公報
【発明の概要】
【発明が解決しようとする課題】
【０００５】
しかしながら、特許文献１に開示された施工方法では、スラブ底部が薄いため、スラブ底部上に打設されるスラブ本体部用のコンクリートの打設量が増加すると、当該スラブ底部が破損等する可能性がある。したがって、スラブ厚が厚いコンクリートスラブを施工するためには、さらなる改善の余地がある。
【０００６】
本発明は、上記の事実を考慮し、サポートの数を低減しつつ、スラブ厚を厚くすることができるコンクリートスラブの施工方法を提供することを目的とする。
【課題を解決するための手段】
【０００７】
第１態様に係るコンクリートスラブの施工方法は、サポートで支持された底型枠上に第１コンクリートを打設し、該底型枠上に配筋された下端スラブ筋及び中段スラブ筋と前記第１コンクリートとを一体化させる第１コンクリート打設工程と、前記第１コンクリート上に、第２コンクリートを打設する第２コンクリート打設工程と、を備える。
【０００８】
第１態様に係るコンクリートスラブの施工方法によれば、第１コンクリート打設工程において、サポートで支持された底型枠上に第１コンクリートを打設し、当該底型枠上に配筋された下端スラブ筋及び中段スラブ筋と第１コンクリートとを一体化させる。次に、第２コンクリート打設工程において、第１コンクリート上に、第２コンクリートを打設する。
【０００９】
これにより、下端スラブ筋及び中段スラブ筋が一体化された第１コンクリートによって、第２コンクリートを支持することができる。したがって、底型枠を支持するサポートの数を低減することができる。
【００１０】
ここで、第１コンクリート上に第２コンクリートが打設されると、第２コンクリートの重量によって、第１コンクリートがサポートを支点として下方へ撓む。これにより、例えば、隣り合うサポート間の中央部では、第１コンクリートの下面側に引張力が作用し、サポートの周辺部では、第１コンクリートの上面側に引張力が作用する。そのため、第１コンクリートの下面及び上面にひび割れ等が発生し易くなる。
【００１１】
これに対して本発明では、第１コンクリート打設工程において、下端スラブ筋及び中段スラブ筋と第１コンクリートとが一体化される。これにより、第１コンクリートの撓みに伴って、当該第１コンクリートの下面側に作用する引張力に下端スラブ筋が抵抗し、第１コンクリートの上面側に作用する引張力に中段スラブ筋が抵抗する。
【００１２】
したがって、第１コンクリートの下面及び上面に発生するひび割れ等が抑制されるととともに、第１コンクリートの撓みも抑制される。この結果、第１コンクリートで支持可能な第２コンクリートの重量が増加するため、コンクリートスラブのスラブ厚を厚くすることができる。
【００１３】
このように本発明では、サポートの数を低減しつつ、スラブ厚を厚くすることができる。
【００１４】
第２態様に係るコンクリートスラブの施工方法は、第１態様に係るコンクリートスラブの施工方法において、前記第２コンクリート打設工程において、複数の前記サポートの少なくとも一部を撤去した状態で、前記第１コンクリート上に前記第２コンクリートを打設する。
【００１５】
第２態様に係るコンクリートスラブの施工方法によれば、第２コンクリート打設工程において、複数のサポートの少なくとも一部を撤去した状態で、第１コンクリート上に第２コンクリートを打設する。これにより、コンクリートスラブの下の作業スペースが広がるため、コンクリートスラブの下の工事等の作業性が向上する。
【００１６】
第３態様に係るコンクリートスラブの施工方法は、第１態様又は第２態様に係るコンクリートスラブの施工方法において、前記第２コンクリート打設工程において、前記第１コンクリート上に前記第２コンクリートを打設し、該第１コンクリート上に配筋された上端スラブ筋と前記第２コンクリートとを一体化させる。
【００１７】
第３態様に係るコンクリートスラブの施工方法によれば、第２コンクリート打設工程において、第１コンクリート上に第２コンクリートを打設し、当該第１コンクリート上に配筋された上端スラブ筋と第２コンクリートとを一体化させる。この上端スラブ筋は、第１コンクリートの上面側に作用する引張力に抵抗する。これにより、コンクリートスラブの剛性（曲げ剛性）が高まるため、コンクリートスラブのスラブ厚をさらに厚くすることができる。
【００１８】
第４態様に係るコンクリートスラブの施工方法は、第１態様〜第３態様の何れか１つに係るコンクリートスラブの施工方法において、前記第２コンクリート打設工程において、前記第１コンクリートのせん断力伝達部上に前記第２コンクリートを打設し、該せん断力伝達部を介して前記第１コンクリートと前記第２コンクリートとを一体化させる。
【００１９】
第４態様に係るコンクリートスラブの施工方法によれば、第２コンクリート打設工程において、第１コンクリートのせん断力伝達部上に第２コンクリートを打設することにより、せん断力伝達部を介して第１コンクリートと第２コンクリートとを一体化させる。これにより、せん断力伝達部がない場合と比較して、第１コンクリートと第２コンクリートとの一体性を高めることができる。
【００２０】
したがって、コンクリートスラブの剛性（曲げ剛性）が高まるため、コンクリートスラブのスラブ厚をさらに厚くすることができる。
【発明の効果】
【００２１】
以上説明したように、本発明に係るコンクリートスラブの施工方法によれば、サポートの数を低減しつつ、スラブ厚を厚くすることができる。
【図面の簡単な説明】
【００２２】
【図１】図１は、一実施形態に係るコンクリートスラブの施工方法によって施工されたコンクリートスラブを示す縦断面図である。
【図２】図２は、図１に示されるコンクリートスラブの施工手順を示す縦断面図である。
【図３】図３は、図１に示されるコンクリートスラブの施工手順を示す縦断面図である。
【図４】図４は、図１に示されるコンクリートスラブの施工手順を示す縦断面図である。
【図５】図５は、図１に示されるコンクリートスラブの施工手順を示す縦断面図である。
【図６】図６は、図１に示されるコンクリートスラブの施工手順を示す縦断面図である。
【図７】図７は、一実施形態に係るコンクリートスラブの変形例を示す図１に相当する縦断面図である。
【発明を実施するための形態】
【００２３】
以下、図面を参照しながら、一実施形態に係るコンクリートスラブの施工方法について説明する。
【００２４】
（コンクリートスラブの構成）
先ず、本実施形態に係るコンクリートスラブの施工方法によって施工されるコンクリートスラブ１０の構成について説明する。
【００２５】
図１に示されるように、コンクリートスラブ１０は、鉄筋コンクリート造とされている。また、本実施形態に係るコンクリートスラブの施工方法では、コンクリートスラブ１０用のコンクリートが２回に分けて打設される。そのため、コンクリートスラブ（スラブ本体部）１０は、１回目に打設されたコンクリート（以下、「第１コンクリートＣ１」という）が硬化した第１硬化部１２と、２回目に打設されたコンクリート（以下、「第２コンクリートＣ２」という）が硬化した第２硬化部１４とを有している。
【００２６】
第１硬化部１２は、コンクリートスラブ１０の下部を構成している。この第１硬化部１２上に、第２硬化部１４が配置されている。第２硬化部１４は、第１硬化部１２と一体化されており、コンクリートスラブ１０の上部を構成している。この第２硬化部１４の厚みＴＵは、第１硬化部１２の厚みＴＬよりも厚くされている。なお、第２硬化部１４の厚みＴＵは、第１硬化部１２の厚みＴＬと同じでも良いし、第１硬化部１２の厚みＴＬよりも薄くても良い。
【００２７】
コンクリートスラブ１０には、複数の下端スラブ筋２０、複数の上端スラブ筋２２、及び複数の中段スラブ筋２４が埋設されている。複数の下端スラブ筋２０は、例えば、平面視にて格子状に配筋されており、第１硬化部１２の下面１２Ｌ側、すなわちコンクリートスラブ１０の下面側に埋設されている。これらの下端スラブ筋２０は、第１硬化部１２の下面１２Ｌ側に作用する引張力に対して抵抗する。
【００２８】
複数の上端スラブ筋２２は、例えば、平面視にて格子状に配筋されており、第２硬化部１４の上面１４Ｕ側、すなわちコンクリートスラブ１０の上面側に埋設されている。これらの上端スラブ筋２２は、コンクリートスラブ１０の撓みに伴って、第２硬化部１４の上面１４Ｕ側に作用する引張力に対して抵抗する。
【００２９】
複数の中段スラブ筋２４は、例えば、平面視にて格子状に配筋されており、第１硬化部１２の上面１２Ｕ側に埋設されている。つまり、複数の中段スラブ筋２４は、下端スラブ筋２０と、上端スラブ筋２２との間に配置されている。これらの中段スラブ筋２４は、コンクリートスラブ１０の撓みに伴って、第１硬化部１２の上面１２Ｕ側に作用する引張力に対して抵抗する。
【００３０】
なお、本実施形態における第１硬化部１２の上面１２Ｕ側とは、例えば、第１硬化部１２を上層、中層、及び下層に３等分した場合に、第１硬化部１２の上層の領域を意味する。また、第１硬化部１２の下面１２Ｌ側とは、例えば、第１硬化部１２を上層、中層、及び下層に３等分した場合に、下層の領域を意味する。これと同様に、第２硬化部１４の上面１４Ｕ側とは、例えば、第１硬化部１２を上層、中層、及び下層に３等分した場合に、第２硬化部１４の上層の領域を意味する。
【００３１】
また、下端スラブ筋２０、上端スラブ筋２２、及び中段スラブ筋２４の配筋方法は、平面視にて格子状に限らず、適宜変更可能である。
【００３２】
（コンクリートスラブの施工方法）
次に、本実施形態に係るコンクリートスラブの施工方法について説明する。
【００３３】
（第１コンクリート打設工程）
先ず、第１コンクリート打設工程について説明する。図２には、コンクリートスラブ１０（図１参照）を施工するための底型枠３０が示されている。底型枠３０は、鋼製型枠や木製型枠等の種々の型枠が用いられる。また、底型枠３０上には、複数の下端スラブ筋２０、複数の中段スラブ筋２４、及び複数の上端スラブ筋２２が配筋されている。なお、底型枠３０は、コンクリートスラブ１０と一体化されるデッキプレート等であっても良い。
【００３４】
底型枠３０は、複数のサポート３２を介して下階のコンクリートスラブ４０に支持されている。複数のサポート（支保工）３２は、下階のコンクリートスラブ４０上に、間隔を空けて配列されている。また、複数のサポート３２は、繋ぎ材３４によって連結されている。これにより、複数のサポート３２の傾きや倒れが抑制されている。なお、繋ぎ材３４は、適宜省略可能である。また、サポート３２の数や配置、構成は、適宜変更可能である。
【００３５】
ここで、図３に示されるように、第１コンクリート打設工程では、底型枠３０上に下端スラブ筋２０、中段スラブ筋２４、及び上端スラブ筋２２が配筋された状態で、当該底型枠３０上に１回目の第１コンクリートＣ１を打設し、下端スラブ筋２０及び中段スラブ筋２４を第１コンクリートＣ１内に埋設する。この際、中段スラブ筋２４が、第１コンクリートＣ１（第１硬化部１２）の上面１２Ｕ側に埋設されるように、底型枠３０上に第１コンクリートＣ１を打設する。
【００３６】
そして、第１コンクリートＣ１と下端スラブ筋２０及び中段スラブ筋２４とを一体化させる。具体的には、図４に示されるように、第１コンクリートＣ１を半硬化させ、当該第１コンクリートＣ１（半硬化状態の第１硬化部１２）と下端スラブ筋２０及び中段スラブ筋２４とを一体化させる。
【００３７】
なお、第１コンクリートＣ１の半硬化とは、第１コンクリートＣ１が所定強度を発現し、当該第１コンクリートＣ１に作用する引張力に対して下端スラブ筋２０及び中段スラブ筋２４が抵抗可能な程度に、これらの下端スラブ筋２０及び中段スラブ筋２４と第１コンクリートＣ１とが一体化された状態を意味する。
【００３８】
（第２コンクリート打設工程）
次に、第２コンクリート打設工程について説明する。第２コンクリート打設工程では、先ず、図４に二点鎖線で示されるように、複数のサポート３２の一部または全部を撤去する。次に、図５に示されるように、半硬化した第１コンクリートＣ１上に、２回目の第２コンクリートＣ２を打設する。そして、第２コンクリートＣ２内に、上端スラブ筋２２を埋設する。この際、上端スラブ筋２２が第２コンクリートＣ２（第２硬化部１４）の上面１４Ｕ側に埋設されるように、第１コンクリートＣ１上に第２コンクリートＣ２を打設する。
【００３９】
そして、第２コンクリートＣ２と第１コンクリートＣ１とを一体化させるとともに、第２コンクリートＣ２と上端スラブ筋２２と一体化させる。具体的には、図６に示されるように、第２コンクリートＣ２を硬化させて第２硬化部１４を形成するとともに、半硬化した第１コンクリートＣ１をさらに硬化させて第１硬化部１２（全硬化状態の第１硬化部１２）を形成する。この結果、第１硬化部１２と第２硬化部１４とが各々の付着力によって一体化されるとともに、第２硬化部１４と上端スラブ筋２２とが一体化される。これにより、コンクリートスラブ１０が形成される。
【００４０】
その後、複数のサポート３２及び底型枠３０を撤去する。なお、本実施形態では、第１コンクリートＣ１の打設前に底型枠３０上に上端スラブ筋２２を配筋したが、上端スラブ筋２２は、第１コンクリートＣ１の打設後に底型枠３０上に配筋しても良い。
【００４１】
次に、本実施形態の効果について説明する。
【００４２】
本実施形態に係るコンクリートスラブの施工方法によれば、第１コンクリート打設工程において、サポート３２で支持された底型枠３０上に第１コンクリートＣ１を打設し、当該底型枠３０上に配筋された下端スラブ筋２０及び中段スラブ筋２４と第１コンクリートＣ１とを一体化させる。次に、第２コンクリート打設工程において、第１コンクリートＣ１上に、第２コンクリートＣ２を打設する。
【００４３】
これにより、下端スラブ筋２０及び中段スラブ筋２４が一体化された第１コンクリートＣ１によって、第２コンクリートＣ２を支持することができる。つまり、下端スラブ筋２０及び中段スラブ筋２４と一体化された半硬化状態の第１硬化部１２が、第２コンクリートＣ２用の底型枠として機能する。したがって、底型枠３０を支持するサポート３２の数を低減またはなくすことができる。
【００４４】
ここで、下端スラブ筋２０及び中段スラブ筋２４について補足する。図５に示されるように、半硬化した第１コンクリートＣ１上に第２コンクリートＣ２が打設されると、第２コンクリートＣ２及び上端スラブ筋２２の重量によって、半硬化した第１コンクリートＣ１が二点鎖線で示されるように、隣り合うサポート３２を支点として下方へ撓む。これにより、半硬化した第１コンクリートＣ１に曲げモーメントＭが発生する。
【００４５】
この結果、隣り合うサポート３２間の中央部では、半硬化した第１コンクリートＣ１の下面１２Ｌ側に引張力ＴＬが作用する。一方、サポート３２の周辺部では、半硬化した第１コンクリートＣ１の上面１２Ｕ側に引張力ＴＵが作用する。そのため、第１コンクリートの下面１２Ｌ及び上面１２Ｕにひび割れ等が発生し易くなる。
【００４６】
これに対して実施形態では、第１コンクリート打設工程において、下端スラブ筋２０及び中段スラブ筋２４と第１コンクリートＣ１とが一体化される。これにより、第１コンクリートＣ１の下面１２Ｌ側に作用する引張力ＴＬに下端スラブ筋２０が抵抗するとともに、第１コンクリートＣ１の上面１２Ｕ側に作用する引張力ＴＵに中段スラブ筋２４が抵抗する。
【００４７】
そのため、第１コンクリートＣ１の下面１２Ｌ及び上面１２Ｕに発生するひび割れ等が抑制されるとともに、第１コンクリートＣ１の撓みも抑制される。この結果、第１コンクリートＣ１で支持可能な第２コンクリートＣ２の重量が増加する。したがって、コンクリートスラブ１０のスラブ厚Ｔ（図１参照）を厚くすることができる。
【００４８】
このように本実施形態では、サポート３２の数を低減しつつ、コンクリートスラブ１０のスラブ厚Ｔを厚くすることができる。
【００４９】
また、本実施形態では、第２コンクリート打設工程において、第１コンクリートＣ１上に配筋された上端スラブ筋２２と第２コンクリートＣ２とが一体化される。この上端スラブ筋２２は、第２硬化部１４の上面１４Ｕ側、すなわちコンクリートスラブ１０の上面側に作用する引張力に抵抗する。これにより、コンクリートスラブ１０の剛性（曲げ剛性）が高まるため、コンクリートスラブ１０のスラブ厚Ｔ（図１参照）をさらに厚くすることができる。
【００５０】
さらに、本実施形態では、図４に二点鎖線で示されるように、第２コンクリート打設工程において、複数のサポート３２の一部を撤去した状態で、第１コンクリートＣ１上に第２コンクリートＣ２を打設する。これにより、コンクリートスラブ１０の下の作業スペース、すなわち下階のコンクリートスラブ４０上の作業スペースが広がるため、作業性が向上する。
【００５１】
しかも、本実施形態では、第１コンクリート打設工程において、第１コンクリートＣ１を半硬化させ、当該第１コンクリートＣ１と下端スラブ筋２０及び中段スラブ筋とを一体化させる。これにより、本実施形態では、第２コンクリートＣ２を打設する前に、第１コンクリートＣ１を硬化（全硬化）させる場合と比較して、第２コンクリートＣ２を早期に打設することができる。したがって、工期を短縮することができる。
【００５２】
なお、中段スラブ筋２４は、前述したようにコンクリートスラブ１０の施工過程において、第１コンクリートＣ１及び第２コンクリートＣ２等の重量に起因して第１コンクリートＣ１の上面１２Ｕ側に作用する引張力ＴＵを負担するための補強筋であり、施工後のコンクリートスラブ１０に作用する積載荷重や地震荷重は、基本的に負担しない。一方、下端スラブ筋２０及び上端スラブ筋２２は、施工後のコンクリートスラブ１０に作用する積載荷重や地震荷重を負担する。
【００５３】
したがって、中段スラブ筋２４に求められる補強力は、下端スラブ筋２０及び上端スラブ筋２２に求められる補強力よりも小さくなる。そのため、本実施形態では、中段スラブ筋２４の径（鉄筋径）が、下端スラブ筋２０及び上端スラブ筋２２の径よりも小さくなっている。
【００５４】
なお、中段スラブ筋２４の補強力は、中段スラブ筋２４の配筋ピッチを広くしたり、中段スラブ筋２４の材料強度を下げたりすることで、下端スラブ筋２０及び上端スラブ筋２２の補強力よりも小さくしても良い。また、中段スラブ筋２４の補強力は、下端スラブ筋２０及び上端スラブ筋２２の補強力以上にすることも可能である。
【００５５】
次に、上記実施形態の変形例について説明する。
【００５６】
図７に示されるように、第１コンクリートＣ１（第１硬化部１２）の上面１２Ｕには、コッター５０を設けても良い。具体的には、半硬化した第１コンクリートＣ１の上面１２Ｕには、せん断力伝達部としての複数のコッター５０が設けられている。複数のコッター５０は、第１コンクリートＣ１の上面１２Ｕに形成された凹部又は凸部とされる。
【００５７】
そして、例えば、第２コンクリート打設工程において、複数のコッター５０上に第２コンクリートＣ２を打設することにより、これらのコッター５０を介して第１コンクリートＣ１と第２コンクリートＣ２とがせん断力を伝達可能に接合される。
【００５８】
これにより、本変形例では、コッター５０がない場合と比較して、第１コンクリートＣ１と第２コンクリートＣ２との一体性を高めることができる。この結果、コンクリートスラブ１０の剛性（曲げ剛性）が高まるため、コンクリートスラブ１０のスラブ厚Ｔをさらに厚くすることができる。
【００５９】
なお、せん断力伝達部は、コッター５０に限らず、通常行うチッピング処理等の目荒らしを施すか、または、第１コンクリートＣ１の上面１２Ｕから突出する鉄筋やスタッド等に類するコンクリートを一体化する他の手段であっても良い。
【００６０】
また、上記実施形態では、第２コンクリート打設工程において、半硬化した第１コンクリートＣ１上に第２コンクリートＣ２を打設したが、上記実施形態はこれに限らない。例えば、硬化（全硬化）した第１コンクリートＣ１（第１硬化部１２）上に第２コンクリートＣ２を打設しても良い。つまり、第２コンクリート打設工程では、少なくとも半硬化した第１コンクリートＣ１上に第２コンクリートＣ２を打設することができる。
【００６１】
ここで、硬化した第１硬化部１２上に第２コンクリートＣ２を打設した場合は、第１硬化部１２と下端スラブ筋２０及び中段スラブ筋２４との一体性が高められる。これにより、第１硬化部１２によって支持可能なコンクリートスラブ１０の重量が増加するため、コンクリートスラブ１０のスラブ厚Ｔをさらに厚くすることができる。
【００６２】
また、上記実施形態では、第１コンクリートＣ１（第１硬化部１２）の下面１２Ｌ側に下端スラブ筋２０が埋設されるとともに、第１コンクリートＣ１（第１硬化部１２）の上面１２Ｕ側に中段スラブ筋２４が埋設されるが、上記実施形態はこれに限らない。例えば、第１コンクリートＣ１の下部に下端スラブ筋２０が埋設され、第１コンクリートＣ１の上部に中段スラブ筋２４が埋設されても良い。これと同様に、上端スラブ筋２２は、第２コンクリートＣ２の上部に埋設されても良い。
【００６３】
なお、ここでいう第１コンクリートＣ１の上部とは、第１コンクリートＣ１の上半分の領域を意味し、第１コンクリートＣ１の下部とは、第１コンクリートＣ１の下半分の領域を意味する。これと同様に、第２コンクリートＣ２の上部とは、第２コンクリートＣ２の上半分の領域を意味する。
【００６４】
また、上記実施形態では、第２コンクリート打設工程において、第２コンクリートＣ２と上端スラブ筋２２とを一体化させたが、上記実施形態はこれに限らない。上端スラブ筋２２は、必要に応じて第２硬化部１４に埋設すれば良く、適宜省略可能である。
【００６５】
また、上記実施形態では、第２コンクリート打設工程において、複数のサポート３２の一部を撤去した状態で、第１コンクリートＣ１上に第２コンクリートＣ２を打設したが、上記実施形態はこれに限らない。例えば、複数のサポート３２を全て撤去した状態で、第１コンクリートＣ１上に第２コンクリートＣ２を打設しても良い。すなわち、上記実施形態では、複数のサポート３２の少なくとも一部を撤去した状態で、第１コンクリートＣ１上に第２コンクリートＣ２を打設することができる。さらに、サポート３２を撤去せずに、第１コンクリートＣ１上に第２コンクリートＣ２を打設することも可能である。
【００６６】
また、上記実施形態におけるコンクリートスラブの施工方法は、例えば、ボイドスラブ等の種々のコンクリートスラブに適用可能である。
【００６７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６８】
１０  コンクリートスラブ
２０  下端スラブ筋
２２  上端スラブ筋
２４  中段スラブ筋
３０  底型枠
３２  サポート
５０  コッター（せん断力伝達部）
Ｃ１  第１コンクリート
Ｃ２  第２コンクリート
【図１】
0006778508.tif 000002
【図２】
0006778508.tif 000003
【図３】
0006778508.tif 000004
【図４】
0006778508.tif 000005
【図５】
0006778508.tif 000006
【図６】
0006778508.tif 000007
【図７】
0006778508.tif 000008